(57)【要約】【課題】モーメンタリ動作のスイッチとダミースイッチとの双方を備える、操作装置を提供する。【解決手段】モーメンタリ動作のスイッチと、ダミースイッチと、スイッチとダミースイッチとが配置される筐体とを備え、スイッチは、第１スイッチノブと、第１スイッチノブと第１接点との間に配置され、第１スイッチノブに加わる力に基づき第１スイッチノブと共に移動することにより第１接点を導通状態とするプッシャとを有し、ダミースイッチは、第２スイッチノブと、第２スイッチノブと第２接点との間に配置され、第２スイッチノブに加わる力に基づく第２スイッチノブの移動を制限することにより、第２接点が導通状態となることを制限するストッパとを有し、プッシャとストッパとは、同一形状の配置部材あるいは実質的に同一形状の配置部材であり、スイッチとダミースイッチとでは、配置部材が配置される向きが反対である、操作装置が、提供される。【選択図】図１
2020064829.tif 000002
【特許請求の範囲】
【請求項１】
少なくとも１つ以上のモーメンタリ動作のスイッチと、
少なくとも１つ以上の前記スイッチとして動作しないダミースイッチと、
前記スイッチと前記ダミースイッチとが配置される筐体と、
を備え、
前記スイッチは、
第１スイッチノブと、
前記第１スイッチノブと前記スイッチに対応する第１接点との間に配置され、前記第１スイッチノブに加わる力に基づき前記第１スイッチノブと共に移動することにより前記第１接点を導通状態とする、プッシャと、
を有し、
前記ダミースイッチは、
第２スイッチノブと、
前記第２スイッチノブと前記ダミースイッチに対応する第２接点との間に配置され、前記第２スイッチノブに加わる力に基づく前記第２スイッチノブの移動を制限することにより、前記第２接点が導通状態となることを制限する、ストッパと、
を有し、
前記プッシャと前記ストッパとは、同一形状の配置部材あるいは実質的に同一形状の配置部材であり、
前記スイッチと前記ダミースイッチとでは、前記配置部材が配置される向きが反対である、操作装置。
【請求項２】
前記配置部材は、
円柱形状または角柱形状を有する本体部と、
前記本体部の外周の少なくとも一部に設けられ、前記本体部の一の端面の面積を大きくする鍔部と、
を有し、
前記プッシャとして機能する前記配置部材は、前記鍔部が設けられる前記本体部の端面が、前記第１接点側となる向きに配置され、
前記ストッパとして機能する前記配置部材は、前記鍔部が設けられる前記本体部の端面が、前記第２スイッチノブ側となる向きに配置される、請求項１に記載の操作装置。
【請求項３】
前記第２スイッチノブに力が加わったとき、前記ストッパとして機能する前記配置部材は、前記鍔部が前記筐体に当接することにより、前記第２スイッチノブの移動を制限する、請求項２に記載の操作装置。
【請求項４】
前記第２スイッチノブと前記筐体との最短距離と、前記ストッパとして機能する前記配置部材における前記最短距離に対応する方向の前記鍔部の長さとは、等しい、または、
前記最短距離と前記鍔部の長さとは、実質的に等しい、請求項２または３に記載の操作装置。
【請求項５】
前記スイッチは、前記プッシャと前記第１接点との間に配置されるコンタクトラバーをさらに有する、請求項１〜４のいずれか１項に記載の操作装置。
【発明の詳細な説明】
【技術分野】
【０００１】
本発明は、操作装置に関する。
【背景技術】
【０００２】
スイッチとして動作しないダミースイッチに関する技術が、開発されている。シーソー型の操作ノブの機能を無効化する技術としては、例えば特許文献１に記載の技術が挙げられる。
【先行技術文献】
【特許文献】
【０００３】
【特許文献１】特開２０１４−６７５２７号公報
【発明の概要】
【発明が解決しようとする課題】
【０００４】
“モーメンタリ動作のスイッチと、モーメンタリ動作のスイッチとして動作しないダミースイッチとの双方を備える操作装置”に対するニーズが、ある。
【０００５】
例えば特許文献１に記載の技術では、ダミー用のプッシャを用いてシーソータイプの操作ノブの機能を無効化している。よって、例えば特許文献１に記載の技術を用いることによって、“モーメンタリ動作のスイッチとダミースイッチとの双方を備える操作装置”を実現することが可能である。
【０００６】
ここで、ダミー用のプッシャを用いてダミースイッチを実現する場合には、通常のプッシャ（すなわち、モーメンタリ動作のスイッチとして動作させる際に用いるプッシャ）とは別に、ダミー用のプッシャを用意する必要がある。ダミー用のプッシャを用意するためには、例えば、ダミー用のプッシャのための金型を製作し、かつ、当該金型を用いてダミー用のプッシャを製造する必要がある。そのため、ダミー用のプッシャを用いてダミースイッチを実現する場合には、通常のプッシャのみが用いられる場合と比較して、コストがかかる可能性がある。
【０００７】
本発明の目的とするところは、モーメンタリ動作のスイッチと、モーメンタリ動作のスイッチとして動作しないダミースイッチとの双方を備える、新規かつ改良された操作装置を提供することにある。
【課題を解決するための手段】
【０００８】
上記目的を達成するために、本発明の一の観点によれば、少なくとも１つ以上のモーメンタリ動作のスイッチと、少なくとも１つ以上の上記スイッチとして動作しないダミースイッチと、上記スイッチと上記ダミースイッチとが配置される筐体と、を備え、上記スイッチは、第１スイッチノブと、上記第１スイッチノブと上記スイッチに対応する第１接点との間に配置され、上記第１スイッチノブに加わる力に基づき上記第１スイッチノブと共に移動することにより上記第１接点を導通状態とする、プッシャと、を有し、上記ダミースイッチは、第２スイッチノブと、上記第２スイッチノブと上記ダミースイッチに対応する第２接点との間に配置され、上記第２スイッチノブに加わる力に基づく上記第２スイッチノブの移動を制限することにより、上記第２接点が導通状態となることを制限する、ストッパと、を有し、上記プッシャと上記ストッパとは、同一形状の配置部材あるいは実質的に同一形状の配置部材であり、上記スイッチと上記ダミースイッチとでは、上記配置部材が配置される向きが反対である、操作装置が、提供される。
【０００９】
かかる構成では、同種の部材によってスイッチとダミースイッチとが実現される。よって、かかる構成により、モーメンタリ動作のスイッチと、モーメンタリ動作のスイッチとして動作しないダミースイッチとの双方を備える操作装置が、実現される。
【００１０】
また、上記配置部材は、円柱形状または角柱形状を有する本体部と、上記本体部の外周の少なくとも一部に設けられ、上記本体部の一の端面の面積を大きくする鍔部と、を有し、上記プッシャとして機能する上記配置部材は、上記鍔部が設けられる上記本体部の端面が、上記第１接点側となる向きに配置され、上記ストッパとして機能する上記配置部材は、上記鍔部が設けられる上記本体部の端面が、上記第２スイッチノブ側となる向きに配置されてもよい。
【００１１】
また、上記第２スイッチノブに力が加わったとき、上記ストッパとして機能する上記配置部材は、上記鍔部が上記筐体に当接することにより、上記第２スイッチノブの移動を制限してもよい。
【００１２】
また、上記第２スイッチノブと上記筐体との最短距離と、上記ストッパとして機能する上記配置部材における上記最短距離に対応する方向の上記鍔部の長さとは、等しい、または、上記最短距離と上記鍔部の長さとは、実質的に等しくてもよい。
【００１３】
また、上記スイッチは、上記プッシャと上記第１接点との間に配置されるコンタクトラバーをさらに有していてもよい。
【発明の効果】
【００１４】
本発明によれば、モーメンタリ動作のスイッチと、モーメンタリ動作のスイッチとして動作しないダミースイッチとの双方を備える操作装置が、実現される。
【図面の簡単な説明】
【００１５】
【図１】本発明の実施形態に係る操作装置の構成の一例を示す説明図である。
【図２】本発明の実施形態に係る配置部材の構成の一例を示す説明図である。
【図３】本発明の実施形態に係るスイッチを構成するプッシャと、ダミースイッチを構成するストッパとの作用の一例を説明するための説明図である。
【発明を実施するための形態】
【００１６】
以下、添付図面を参照しながら、本発明の好適な実施の形態について詳細に説明する。なお、本明細書および図面において、実質的に同一の機能構成を有する構成要素については、同一の符号を付することにより重複説明を省略する。
【００１７】
［１］本発明の実施形態に係る操作装置の概要
まず、本発明の実施形態に係る操作装置の概要を示す。本発明の実施形態に係る操作装置（以下、単に「操作装置」と示す場合がある。）は、少なくとも１つ以上のモーメンタリ動作のスイッチと、少なくとも１つ以上のダミースイッチとの双方を備える装置である。以下では、本発明の実施形態に係る操作装置に設けられるモーメンタリ動作のスイッチを、単に「スイッチ」と示す場合がある。また、以下では、本発明の実施形態に係る操作装置に設けられる、モーメンタリ動作のスイッチとして動作しないダミースイッチを、単に「ダミースイッチ」と示す場合がある。
【００１８】
本発明の実施形態に係るスイッチとしては、例えば、プッシュスイッチ、シーソースイッチなどの、加わる力に基づきモーメンタリ動作する任意の型のスイッチが、挙げられる。
【００１９】
本発明の実施形態に係るダミースイッチは、モーメンタリ動作のスイッチとして動作しないダミーのスイッチである。ダミースイッチは、モーメンタリ動作のスイッチとして動作しないので、モーメンタリ動作のスイッチの機能が無効化されたものであると捉えることが可能である。さらに述べると、ダミースイッチは、オルタネート動作のスイッチとしてしても動作しない。
【００２０】
上述したように、ダミー用のプッシャを用いてダミースイッチを実現することによって、“モーメンタリ動作のスイッチとダミースイッチとの双方を備える操作装置”を実現することが可能である。しかしながら、ダミー用のプッシャを用いてダミースイッチを実現する場合には、よりコストがかかる可能性がある。
【００２１】
そこで、本発明の実施形態では、同種の部材によってスイッチおよびダミースイッチを実現することによって、“モーメンタリ動作のスイッチと、モーメンタリ動作のスイッチとして動作しないダミースイッチとの双方を備える操作装置”を実現する。また、同種の部材によってスイッチおよびダミースイッチが実現されることによって、本発明の実施形態に係る操作装置では、コストの低減が図られる。
【００２２】
［２］本発明の実施形態に係る操作装置の構成例
次に、本発明の実施形態に係る操作装置の構成の一例を説明する。以下では、説明の便宜上、“スイッチとダミースイッチとがそれぞれ１つずつ設けられる構成を有する操作装置”を例に挙げる。なお、上述したように、操作装置は、スイッチとダミースイッチとの一方または双方が、２つ以上設けられる構成であってもよい。
【００２３】
図１は、本発明の実施形態に係る操作装置１００の構成の一例を示す説明図であり、操作装置１００の構成の一例を概略的な断面図で示している。
【００２４】
操作装置１００は、例えば、スイッチＳＷ１と、ダミースイッチＳＷ２と、筐体ＢＯとを備える。図１では、スイッチＳＷ１がプッシュスイッチである例を、示している。また、図１では、ダミースイッチＳＷ２がシーソー型のダミースイッチ（シーソー型の操作ノブを有するダミースイッチ）である例を、示している。なお、本実施形態に係るスイッチがプッシュスイッチに限られないこと、および本実施形態に係るダミースイッチがシーソー型のダミースイッチに限られないことは、言うまでもない。
【００２５】
［２−１］筐体ＢＯ
筐体ＢＯは、操作装置１００の外装部分に対応する部材である。筐体ＢＯには、スイッチＳＷ１とダミースイッチＳＷ２とが設けられる。なお、筐体ＢＯを形成する素材、および筐体ＢＯの形状は、特に限定されない。
【００２６】
また、筐体ＢＯには、例えば、スイッチＳＷ１に対応する基板Ｓ１、ダミースイッチＳＷ２に対応する基板Ｓ２など、他の部材が設けられる。なお、基板Ｓ１、基板Ｓ２などの他の部材は、筐体ＢＯ内に設けられず、操作装置１００の外部の部材であってもよい。
【００２７】
［２−２］スイッチＳＷ１
スイッチＳＷ１は、例えば、スイッチノブＳＫ１（第１スイッチノブ）と、プッシャＰＯ１と、コンタクトラバーＣＲ１とを有する。図１に示すスイッチＳＷ１は、プッシュスイッチであるので、１つのプッシャＰＯ１を有している。なお、本発明の実施形態に係るスイッチが有するプッシャの数は、図１に示す例に限られない。例えば、本発明の実施形態に係るスイッチが、シーソースイッチである場合、本発明の実施形態に係るスイッチは、２つのプッシャを有する。
【００２８】
スイッチノブＳＫ１は、操作装置１００を操作する操作者（以下、単に「操作者」と示す。）がスイッチＳＷ１に対する操作を行おうとする際に操作者が力を加える部材である。図１に示す例では、操作者は、図１における下方向に力を加えることによって、スイッチＳＷ１に対する操作を行う。
【００２９】
プッシャＰＯ１は、スイッチノブＳＫ１とスイッチＳＷ１に対応する接点Ｐ１（第１接点）との間に配置される。スイッチＳＷ１に対応する接点Ｐ１は、基板Ｓ１上の接点であり、接点Ｐ１が導通状態となることは、スイッチＳＷ１に対して操作が行われたことに該当する。
【００３０】
プッシャＰＯ１は、スイッチノブＳＫ１に加わる力に基づきスイッチノブＳＫ１と共に移動することにより、接点Ｐ１を導通状態とする。プッシャＰＯ１は、スイッチノブＳＫ１に加わる力に基づき移動することにより、接点Ｐ１を非導通状態から導通状態へと変化させる。
【００３１】
プッシャＰＯ１の構成の一例、操作装置１００におけるプッシャＰＯ１の配置の一例、およびプッシャＰＯ１の作用の一例については、後述する。
【００３２】
コンタクトラバーＣＲ１は、プッシャＰＯ１と接点Ｐ１との間に配置される。図１に示すようにコンタクトラバーＣＲ１を有する場合、プッシャＰＯ１は、スイッチノブＳＫ１に加わる力に基づきコンタクトラバーＣＲ１の一部を移動させ、コンタクトラバーＣＲ１と接点Ｐ１とを電気的に接続することによって、接点Ｐ１を導通状態とする。
【００３３】
また、スイッチノブＳＫ１に加えられた力がなくなると、コンタクトラバーＣＲ１には、元の形（一部が移動する前の形）に戻ろうとする復元力が働く。その結果、プッシャＰＯ１はスイッチノブＳＫ１に加えられた力による移動前の位置に移動し、接点Ｐ１は導通状態から非導通状態へと変化する。
【００３４】
なお、例えば、スイッチＳＷ１が、コンタクトラバーＣＲ１を用いずにモーメンタリ動作のプッシュスイッチを実現可能な構成をとる場合、スイッチＳＷ１は、コンタクトラバーＣＲ１を有さない構成であってもよい。また、例えば、スイッチＳＷ１に対応する基板が操作装置１００の外部の部材であり、外部の基板にコンタクトラバーが設けられている場合、スイッチＳＷ１は、コンタクトラバーＣＲ１を有していなくてよい。
【００３５】
［２−３］ダミースイッチＳＷ２
ダミースイッチＳＷ２は、例えば、スイッチノブＳＫ２（第２スイッチノブ）と、ストッパＰＯ２、ＰＯ３と、コンタクトラバーＣＲ２、ＣＲ３とを有する。図１に示すダミースイッチＳＷ２は、シーソー型のダミースイッチであるので、２つのストッパＰＯ２、ＰＯ３を有している。なお、本発明の実施形態に係るダミースイッチが有するストッパの数は、図１に示す例に限られない。例えば、本発明の実施形態に係るダミースイッチが、プッシュ型のダミースイッチである場合、本発明の実施形態に係るダミースイッチは、１つのストッパを有する。
【００３６】
スイッチノブＳＫ２は、操作者がダミースイッチＳＷ２に対する操作を行おうとする際に操作者が力を加える部材である。図１に示す例では、操作者は、図１における下方向に力を加えることによって、ダミースイッチＳＷ２に対する操作を行う。
【００３７】
ストッパＰＯ２は、スイッチノブＳＫ２とダミースイッチＳＷ２に対応する接点Ｐ２（第２接点の一例）との間に配置される。また、ストッパＰＯ３は、スイッチノブＳＫ２とダミースイッチＳＷ２に対応する接点Ｐ３（第２接点の他の例）との間に配置される。ダミースイッチＳＷ２に対応する接点Ｐ２、Ｐ３は、基板Ｓ２上の接点である。
【００３８】
ストッパＰＯ２は、スイッチノブＳＫ２に加わる力に基づくスイッチノブＳＫ２の移動を制限することにより、接点Ｐ２が導通状態となることを制限する。また、ストッパＰＯ３は、スイッチノブＳＫ２に加わる力に基づくスイッチノブＳＫ２の移動を制限することにより、接点Ｐ３が導通状態となることを制限する。ストッパＰＯ２、ＰＯ３によるスイッチノブＳＫ２の移動の制限は、スイッチノブＳＫ２に加わる力に基づくストッパＰＯ２、ＰＯ３の移動が制限されることによって、実現される。
【００３９】
ここで、接点Ｐ２または接点Ｐ３が導通状態となることは、ダミースイッチＳＷ２に対して操作が行われたことに該当する。よって、ストッパＰＯ２、ＰＯ３によりスイッチノブＳＫ２の移動が制限されることによって、ダミースイッチＳＷ２は、ダミースイッチとして機能することとなる。
【００４０】
ストッパＰＯ２、ＰＯ３の構成の一例、操作装置１００におけるストッパＰＯ２、ＰＯ３の配置の一例、およびストッパＰＯ２、ＰＯ３の作用の一例については、後述する。
【００４１】
コンタクトラバーＣＲ２は、ストッパＰＯ２と接点Ｐ２との間に配置される。コンタクトラバーＣＲ３は、ストッパＰＯ３と接点Ｐ３との間に配置される。
【００４２】
図１に示すようにコンタクトラバーＣＲ２、ＣＲ３を有する場合、ストッパＰＯ２、ＰＯ３によりスイッチノブＳＫ２の移動が制限されることによって、コンタクトラバーＣＲ２は接点Ｐ２と電気的に接続されず、コンタクトラバーＣＲ３は接点Ｐ３と電気的に接続されない。よって、ダミースイッチＳＷ２は、コンタクトラバーＣＲ２、ＣＲ３を有さない構成であってもよい。また、例えば、ダミースイッチＳＷ２に対応する基板が操作装置１００の外部の部材であり、外部の基板にコンタクトラバーが設けられている場合、ダミースイッチＳＷ２は、コンタクトラバーＣＲ２、ＣＲ３を有していなくてよい。
【００４３】
［３］本発明の実施形態に係る操作装置が有する特徴的な構成
次に、図１に示す操作装置１００を例に挙げて、操作装置が有する特徴的な構成について、より具体的に説明する。なお、以下に説明する操作装置が有する特徴的な構成は、本発明に係る構成をある１つの観点から表したものである。よって、本発明に係る操作装置が有する特徴的な構成が以下に説明する一観点の例に限定されないことは言うまでもない。
【００４４】
（１）第１の特徴的な構成
操作装置の概要において示したように、操作装置１００が備えるスイッチＳＷ１とダミースイッチＳＷ２とは、同種の部材で構成される。
【００４５】
図１を参照して説明したように、スイッチＳＷ１とダミースイッチＳＷ２とは“スイッチＳＷ１がプッシャＰＯ１を有し、ダミースイッチＳＷ２がストッパＰＯ２、ＰＯ３を有している点”が、異なっている。そこで、操作装置１００では、“スイッチＳＷ１が有するプッシャＰＯ１と、ダミースイッチＳＷ２が有するストッパＰＯ２、ＰＯ３とを、同一形状の配置部材とすること”、または、“スイッチＳＷ１が有するプッシャＰＯ１と、ダミースイッチＳＷ２が有するストッパＰＯ２、ＰＯ３とを、実質的に同一形状の配置部材とすること”によって、スイッチＳＷ１とダミースイッチＳＷ２とを同種の部材で構成する。
【００４６】
本発明の実施形態に係る“スイッチが有するプッシャとダミースイッチが有するストッパとが、同一形状の配置部材である場合”とは、“スイッチを構成するプッシャと、ダミースイッチを構成するストッパとが完全に同一な形状である場合”をいう。
【００４７】
本発明の実施形態に係る“スイッチが有するプッシャとダミースイッチが有するストッパとが、実質的に同一形状の配置部材である場合”とは、“形状が完全に同一ではないが、プッシャとして機能する配置部材とストッパとして機能する配置部材とが、同一とみなせる程度に類似している場合”をいう。“スイッチが有するプッシャとダミースイッチが有するストッパとが、実質的に同一形状の配置部材である例”としては、例えば下記に示す例が挙げられる。なお、実質的に同一形状の配置部材の例が、下記に示す例に限られないことは、言うまでもない。
・プッシャとストッパとは、形状は同一であるが、サイズが異なっている。
・プッシャとストッパとは、後述する本体部と鍔部とで構成されるが、本体部の形状とサイズとの一方または双方が異なっている。
・プッシャとストッパとは、後述する本体部と鍔部とで構成されるが、鍔部の形状とサイズとの一方または双方が異なっている。
【００４８】
以下では、“スイッチを構成するプッシャと、ダミースイッチを構成するストッパとが同一形状の配置部材である場合”を、例に挙げる。プッシャＰＯ１と、ストッパＰＯ２、ＰＯ３とが、完全に同一な形状の配置部材である場合には、１つの配置部材を用意すれば、“モーメンタリ動作のスイッチと、モーメンタリ動作のスイッチとして動作しないダミースイッチとの双方を備える操作装置”を実現することができる。よって、上記の場合には、操作装置のコストの低減を図ることができる。
【００４９】
図２は、本発明の実施形態に係る配置部材ＰＯの構成の一例を示す説明図である。配置部材ＰＯは、スイッチＳＷ１を構成するプッシャＰＯ１として機能する。また、配置部材ＰＯは、ダミースイッチＳＷ２を構成するストッパＰＯ２、ＰＯ３として機能する。
【００５０】
配置部材ＰＯは、本体部１０２と、鍔部１０４とを有する。配置部材ＰＯを形成する素材は、特に限定されない。なお、本体部１０２、鍔部１０４という表現は、配置部材ＰＯの構成を便宜上切り分けて表現したものであり、配置部材ＰＯの構成の切り分け方および表現は、本体部１０２、鍔部１０４に限られない。
【００５１】
本体部１０２は、例えば円柱形状または角柱形状を有する。図２では、本体部１０２が円柱形状である例を示している。本体部１０２が角柱形状を有する場合、底面の多角形の形状は、特に限定されない。また、本体部１０２は、完全な円柱形状または完全な角柱形状に限られず、例えば、実質的に円柱形状とみなせる形状、または実質的に角柱形状とみなせる形状であってもよい。
【００５２】
鍔部１０４は、本体部１０２の外周の少なくとも一部に設けられ、本体部１０２の一の端面の面積を大きくする。図２に示す“Ｌ”は、鍔部１０４の一部の長さである。例えば図１に示すように配置部材ＰＯが配置される場合、“Ｌ”は、鍔部１０４の垂直方向の長さに該当する。別な表現で表すと、図２に示す“Ｌ”は、鍔部１０４の厚みに該当する。
【００５３】
例えば図１に示すように配置部材ＰＯが配置される場合、鍔部１０４は、本体部１０２の底面（本体部１０２の一の端面の一表現）に設けられる。図１では、鍔部１０４が本体部１０２の外周の全体に設けられている例を示している。なお、鍔部１０４が本体部１０２の外周の一部に設けられていてもよい。鍔部１０４が本体部１０２の外周の一部に設けられる場合であっても、本体部１０２の一の端面の面積を大きくすることができる。鍔部１０４により本体部１０２の一の端面の面積が大きくなることによって、例えば配置部材ＰＯがスイッチＳＷ１を構成するプッシャＰＯ１として機能する場合に、コンタクトラバーＣＲ１を面押しすることができ、その結果、操作者の操作感はより向上する。
【００５４】
（２）第２の特徴的な構成
図１のプッシャＰＯ１およびストッパＰＯ２、ＰＯ３に示すように、操作装置１００が備えるスイッチＳＷ１とダミースイッチＳＷ２とでは、配置部材ＰＯが配置される向きが反対である。具体的には、プッシャＰＯ１として機能する配置部材ＰＯは、鍔部１０４が設けられる本体部１０２の端面が、接点Ｐ１側（第１接点側）となる向きに配置される。また、ストッパＰＯ２、ＰＯ３として機能する配置部材ＰＯは、鍔部１０４が設けられる本体部１０２の端面が、スイッチノブＳＫ２側（第２スイッチノブ側）となる向きに配置される。
【００５５】
（３）第３の特徴的な構成
ダミースイッチＳＷ２では、スイッチノブＳＫ２（第２スイッチノブ）に力が加わったとき、ストッパＰＯ２、ＰＯ３として機能する配置部材ＰＯの鍔部１０４が筐体ＢＯに当接する。配置部材ＰＯの鍔部１０４が筐体ＢＯに当接することにより、ダミースイッチＳＷ２では、スイッチノブＳＫ２の移動が制限される。
【００５６】
一方、スイッチＳＷ１では、スイッチノブＳＫ１（第１スイッチノブ）に力が加わったとき、プッシャＰＯ１として機能する配置部材ＰＯは、鍔部１０４が筐体ＢＯに当接しない。そのため、スイッチＳＷ１では、プッシャＰＯ１はスイッチノブＳＫ１の移動を制限せずにスイッチノブＳＫ１と共に移動し、接点Ｐ１を導通状態とする。
【００５７】
図３は、本発明の実施形態に係るスイッチＳＷ１を構成するプッシャＰＯ１と、ダミースイッチＳＷ２を構成するストッパＰＯ２との作用の一例を説明するための説明図である。図３のＡは、スイッチＳＷ１を構成するプッシャＰＯ１の作用の一例を示しており、図３のＢは、ダミースイッチＳＷ２を構成するストッパＰＯ２の作用の一例を示している。なお、図３のＢを参照して説明するストッパＰＯ２の作用は、ダミースイッチＳＷ２を構成する他のストッパＰＯ３においても同様である。図３のＡに示す“Ｄ１”は、スイッチノブＳＫ１（第１スイッチノブ）に力が加わっていないときにおける、スイッチノブＳＫ１と筐体ＢＯとの最短距離である。図３のＢに示す“Ｄ２”は、スイッチノブＳＫ２（第２スイッチノブ）と筐体ＢＯとの最短距離である。最短距離Ｄ１と最短距離Ｄ２とは、同一であってもよいし、異なっていてもよい。図３に示す“Ｌ”は、図２を参照して説明したように鍔部１０４の厚みに該当する長さである。図３に示す“Ｌ”は、図３のＡにおける上記最短距離に対応する方向の鍔部１０４の長さ、および図３のＢにおける上記最短距離に対応する方向の鍔部１０４の長さに、該当する。
【００５８】
（３−１）スイッチＳＷ１を構成するプッシャＰＯ１の作用（図３のＡ）
スイッチノブＳＫ１の操作面（図３のＡにおける上面）に力が加わると、当該力はプッシャＰＯ１を介してコンタクトラバーＣＲ１へ伝わる。その結果、コンタクトラバーＣＲ１の一部は、図３のＡにおける下方向に移動し、その結果、スイッチノブＳＫ１とプッシャＰＯ１とは、最大、最短距離Ｄ１分移動する。
【００５９】
上述したように、プッシャＰＯ１は、スイッチノブＳＫ１と共に移動することによって接点Ｐ１を導通状態とする役目を果たす。つまり、スイッチノブＳＫ１と筐体ＢＯとの最短距離Ｄ１は、プッシャＰＯ１の移動により接点Ｐ１を導通状態とすることが可能な距離となるように、設計されればよい。
【００６０】
（３−２）ダミースイッチＳＷ２を構成するストッパＰＯ２の作用（図３のＢ）
スイッチノブＳＫ２の操作面（図３のＢにおける上面）に力が加わると、当該力はストッパＰＯ２へ伝わる。
【００６１】
このとき、ストッパＰＯ２は、鍔部１０４が設けられる本体部１０２の端面がスイッチノブＳＫ２側となる向きに配置されているので、鍔部１０４が筐体ＢＯに当接する。よって、スイッチノブＳＫ２に加わる力によりスイッチノブＳＫ２とストッパＰＯ２とが移動可能な距離は、制限される。具体的には、スイッチノブＳＫ２に加わる力によりスイッチノブＳＫ２とストッパＰＯ２とが移動可能な距離は、“最短距離Ｄ２と鍔部１０４の長さＬとの差の絶対値”に相当する距離となり、最短距離Ｄ２よりも小さくなる。
【００６２】
ここで、操作装置１００では、例えば、最短距離Ｄ２と鍔部１０４の長さＬ（最短距離Ｄ２に対応する方向の鍔部１０４の長さ）が等しくなるように、設計される。最短距離Ｄ２と、鍔部１０４の長さＬ（最短距離Ｄ２に対応する方向の鍔部１０４の長さ）とが等しい場合には、スイッチノブＳＫ２の操作面に力が加わったとしても、スイッチノブＳＫ２とストッパＰＯ２とは移動しない。よって、上記の場合には、スイッチノブＳＫ２の操作面に力が加わったとしても接点Ｐ２（第２接点の一例）は導通状態とならず、ダミースイッチＳＷ２は、ダミースイッチとして機能する。また、上記の場合には、操作を行った対象がダミースイッチであることを、操作者に触覚的に認識させることが可能である。
【００６３】
なお、最短距離Ｄ２と鍔部１０４の長さＬとは、実質的に等しくてもよい。最短距離Ｄ２と鍔部１０４の長さＬとが実質的に等しいとは、例えば、最短距離Ｄ２と鍔部１０４の長さＬとが完全に同一ではないが、“最短距離Ｄ２と鍔部１０４の長さＬとの差の絶対値”が、設計時に許容される誤差以下であることを、いう。最短距離Ｄ２と鍔部１０４の長さＬとが実質的に等しい場合、スイッチノブＳＫ２の操作面に力が加わったとしても、スイッチノブＳＫ２とストッパＰＯ２とはほとんど移動しない。よって、最短距離Ｄ２と鍔部１０４の長さＬとが実質的に等しい場合、スイッチノブＳＫ２の操作面に力が加わったとしても接点Ｐ２（第２接点の一例）は導通状態とならず、ダミースイッチＳＷ２は、ダミースイッチとして機能する。また、最短距離Ｄ２と鍔部１０４の長さＬとが実質的に等しい場合であっても、操作を行った対象がダミースイッチであることを操作者に触覚的に認識させることができる効果が奏される。
【００６４】
さらに、ダミースイッチとして機能させる観点から示すと、最短距離Ｄ２および鍔部１０４の長さＬそれぞれは、“最短距離Ｄ２と鍔部１０４の長さＬとの差の絶対値”がストッパＰＯ２の移動により接点Ｐ２（第２接点の一例）が導通状態とならないように、設計されればよい。
【００６５】
［４］本発明の実施形態に係る操作装置により奏される効果の一例
本発明の実施形態に係る操作装置が用いられることによって、例えば下記に示す効果が奏される。なお、本発明の実施形態に係る操作装置により奏される効果が、下記に示す効果に限られないことは、言うまでもない。
・モーメンタリ動作のスイッチを構成するプッシャを逆組みすることによって、ダミースイッチを実現することができる。
・プッシャを逆組みすることによりダミースイッチを実現することができるので、プッシャと形状が異なるストッパを必要としない。よって、例えば新設金型費（新設の金型を作成するたの費用）がかからないなど、コストの低減を図ることができる。
【００６６】
［５］本発明の実施形態に係る操作装置の適用例
以上、本発明の実施形態に係る操作装置について説明したが、本発明の実施形態は、かかる形態に限られない。操作装置の適用例は、モーメンタリ動作のスイッチとダミースイッチとの双方が設けられることが想定されうる、機器、システムであれば、どのようなものであってもよい。一例を挙げると、操作装置は、“自動車、飛行機、船、電車などの任意の乗り物”に適用することが可能である。
【００６７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００６８】
１００  操作装置、１０２  本体部、１０４  鍔部、ＢＯ  筐体、ＣＲ１、ＣＲ２、ＣＲ３  コンタクトラバー、Ｐ１、Ｐ２、Ｐ３  接点、ＰＯ  配置部材、ＰＯ１  プッシャ、ＰＯ２、ＰＯ３  ストッパ、Ｓ１、Ｓ２  基板  ＳＫ１、ＳＫ２  スイッチノブ、ＳＷ１  スイッチ、ＳＷ２  ダミースイッチ
【図１】
2020064829.tif 000003
【図２】
2020064829.tif 000004
【図３】
2020064829.tif 000005